(57)【特許請求の範囲】
【請求項１】
圃場の作物を抜き取って後方搬送する抜き取り搬送装置と、
前記抜き取り搬送装置で収穫された作物を収容する格納装置とを備え、
前記格納装置は、作物を収容する収容ケースと、その収容ケースを昇降及びダンプ作動させる駆動装置とを備え、
前記収容ケースは、その収容ケースの底面が低い位置で水平方向に沿う作物収容姿勢と、前記作物収容姿勢における前記底面の高さよりも高い位置に前記底面を上昇させた持ち上げ姿勢と、前記底面が前記収容ケースの排出口から遠い側ほど高くなる傾斜排出姿勢とに、前記駆動装置によって姿勢変更可能に構成され、
前記収容ケースは、前記底面が備えられた基部ケース体と、その基部ケース体に取り付けられた延長ケース体とを備え、
前記基部ケース体は、平面視矩形状の前記底面と、その底面の四つの周辺部分のうちの三つの周辺部分から起立する周壁面とを備えているとともに、残りの一つの周辺部分に相当する箇所に、前記周壁面が備えられていない排出口部を形成してあり、
前記延長ケース体は、前記作物収容姿勢では前記底面に対して起立した姿勢で前記排出口部を閉塞し、かつ前記傾斜排出姿勢では前記底面の延長方向に沿うように姿勢変更して前記排出口部を開放可能な出口側壁面を備え、
前記駆動装置は、前記収容ケースの前記底面となる底板部分を支持する底部支持枠と、
その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備え、
前記リンク機構は、前記機体フレームに下端側が枢支連結された第一リンク部材と、前記底部支持枠に上端側が枢支連結された第二リンク部材とを備え、
前記第一リンク部材の他端側は、前記底部支持枠に対して相対摺動自在に支持され、前記第二リンク部材の他端側は、前記機体フレームに対して相対摺動自在に支持され、
前記第一リンク部材の前記機体フレームに対する枢支連結箇所よりも前記排出口部から離れた位置に前記第二リンク部材の他端側が支持され、
前記第二リンク部材の前記底部支持枠に対する枢支連結箇所よりも前記排出口部から離れた位置に前記第一リンク部材の他端側が支持されている根菜収穫機。
【請求項２】
圃場の作物を抜き取って後方搬送する抜き取り搬送装置と、
前記抜き取り搬送装置で収穫された作物を収容する格納装置とを備え、
前記格納装置は、作物を収容する収容ケースと、その収容ケースを昇降及びダンプ作動させる駆動装置とを備え、
前記収容ケースは、その収容ケースの底面が低い位置で水平方向に沿う作物収容姿勢と、前記作物収容姿勢における前記底面の高さよりも高い位置に前記底面を上昇させた持ち上げ姿勢と、前記底面が前記収容ケースの排出口から遠い側ほど高くなる傾斜排出姿勢とに、前記駆動装置によって姿勢変更可能に構成され、
前記収容ケースは、前記底面が備えられた基部ケース体と、その基部ケース体に取り付けられた延長ケース体とを備え、
前記基部ケース体は、平面視矩形状の前記底面と、その底面の四つの周辺部分のうちの三つの周辺部分から起立する周壁面とを備えているとともに、残りの一つの周辺部分に相当する箇所に、前記周壁面が備えられていない排出口部を形成してあり、
前記延長ケース体は、前記作物収容姿勢では前記底面に対して起立した姿勢で前記排出口部を閉塞し、かつ前記傾斜排出姿勢では前記底面の延長方向に沿うように姿勢変更して前記排出口部を開放可能な出口側壁面を備え、
前記駆動装置は、前記収容ケースの前記底面となる底板部分を支持する底部支持枠と、その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備え、
前記底板部分と前記延長ケース体との間に、前記延長ケース体を、前記底面に対して起立した姿勢で前記排出口部を閉塞する側へ付勢するガススプリングが備えられ、前記ガススプリングの付勢力は、前記傾斜排出姿勢にある前記延長ケース体を前記作物収容姿勢に復帰させるほどの大きさではなく、前記延長ケース体の自重で前記傾斜排出姿勢が維持される程度に設定してある根菜収穫機。
【請求項３】
前記延長ケース体は、前記出口側壁面のうち、前記起立した姿勢で前記基部ケース体よりも上方側へ突出する上部側部分が、所定間隔おきに並設された桟状部材を用いて透視可能に形成され、
前記延長ケース体は、走行機体上に備えた運転座席の後方側で、前後方向視で前記運転座席と重複する位置に設けられている請求項１又は２記載の根菜収穫機。
【請求項４】
前記延長ケース体は、前記出口側壁面と、その出口側壁面から前記排出口部の両側に位置する前記周壁面に沿う方向に突出した側壁面とを備えて樋状に形成されている請求項３記載の根菜収穫機。
【請求項５】
前記延長ケース体は、前記基部ケース体に対する連結箇所を揺動軸心として姿勢変更可能に構成されているとともに、前記出口側壁面が前記排出口部を閉塞する方向に付勢されている請求項３又は４記載の根菜収穫機。
【請求項６】
前記駆動装置は、前記収容ケースの前記底面となる底板部分を支持する底部支持枠と、その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備えている請求項３〜５のいずれか一項記載の根菜収穫機。
【発明の詳細な説明】
【技術分野】
【０００１】
本発明は、農作物のうち、蕪、人参、大根、玉ねぎなどの、収穫対象となる作物の一部もしくは大部分が土中に埋入した状態にある根菜類を収穫するための根菜収穫機に関する。
【背景技術】
【０００２】
この種の根菜収穫機としては、圃場の根菜を引き抜いて後方搬送する抜き取り搬送装置と、収穫された作物の回収部とを設けるようにした構造のものが、従来より知られている。
この従来の根菜収穫機では、抜き取り搬送装置で引き抜いた作物の葉部を切断して選別コンベア上に落下させた後、再び持ち上げ搬送してから回収部で布製の収容袋に格納するようにしている（特許文献１参照）。
【先行技術文献】
【特許文献】
【０００３】
【特許文献１】特開２００４−８９０８１号公報（段落「００１８」、「００２２」、図４、図１１参照）
【発明の概要】
【発明が解決しようとする課題】
【０００４】
特許文献１に示された構造のものでは、回収部に備えた収容袋の底部を支持して、収容袋に投入される作物の重量を支持しながら、袋底部の位置を変更可能な昇降台が備えられている。
このように袋底部の位置を変更可能な昇降台が備えることで、持ち上げ搬送用のコンベア終端から落下する作物の落下距離を比較的短い範囲に維持しながら多くの作物の回収を行うことができる点では有用なものである。
しかしながら、収穫された作物を運搬車に積み替えて搬送しようとする場合には、袋詰めされた重い作物を運搬車に積み込む作業に手数を要し、この点で改善の余地がある。また、袋を用いずに多くの作物を根菜収穫機自体に積載することができない点での不便さもある。
【０００５】
本発明は、作物の積載、及び運搬車への積み替えを行い易い根菜収穫機を提供しようとするものである。
【課題を解決するための手段】
【０００６】
本発明における根菜収穫機の特徴は、圃場の作物を抜き取って後方搬送する抜き取り搬送装置と、前記抜き取り搬送装置で収穫された作物を収容する格納装置とを備え、前記格納装置は、作物を収容する収容ケースと、その収容ケースを昇降及びダンプ作動させる駆動装置とを備え、前記収容ケースは、その収容ケースの底面が低い位置で水平方向に沿う作物収容姿勢と、前記作物収容姿勢における前記底面の高さよりも高い位置に前記底面を上昇させた持ち上げ姿勢と、前記底面が前記収容ケースの排出口から遠い側ほど高くなる傾斜排出姿勢とに、前記駆動装置によって姿勢変更可能に構成され、前記収容ケースは、前記底面が備えられた基部ケース体と、その基部ケース体に取り付けられた延長ケース体とを備え、前記基部ケース体は、平面視矩形状の前記底面と、その底面の四つの周辺部分のうちの三つの周辺部分から起立する周壁面とを備えているとともに、残りの一つの周辺部分に相当する箇所に、前記周壁面が備えられていない排出口部を形成してあり、前記延長ケース体は、前記作物収容姿勢では前記底面に対して起立した姿勢で前記排出口部を閉塞し、かつ前記傾斜排出姿勢では前記底面の延長方向に沿うように姿勢変更して前記排出口部を開放可能な出口側壁面を備え、前記駆動装置は、前記収容ケースの前記底面となる底板部分を支持する底部支持枠と、その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備え、前記リンク機構は、前記機体フレームに下端側が枢支連結された第一リンク部材と、前記底部支持枠に上端側が枢支連結された第二リンク部材とを備え、前記第一リンク部材の他端側は、前記底部支持枠に対して相対摺動自在に支持され、前記第二リンク部材の他端側は、前記機体フレームに対して相対摺動自在に支持され、前記第一リンク部材の前記機体フレームに対する枢支連結箇所よりも前記排出口部から離れた位置に前記第二リンク部材の他端側が支持され、前記第二リンク部材の前記底部支持枠に対する枢支連結箇所よりも前記排出口部から離れた位置に前記第一リンク部材の他端側が支持されている点にある。
【０００７】
本発明によれば、作物収容姿勢では、収容ケースの底面が低い位置で水平方向に沿う状態にあり、特別に収容袋などを用いなくても、収容ケース内に多くの作物を収容することが可能である。
そして、収容ケースは、それ自体を、底面を上昇させた持ち上げ姿勢と、その底面が収容ケースの排出口から遠い側ほど高くなる傾斜排出姿勢とに姿勢変更可能である。
したがって、収容ケース内に収容されている多くの作物を、運搬車の荷台等に積み替える際に、多大な労力を要する積み卸し、積み込みの作業を省いて、駆動装置で収容ケースを持ち上げ、かつ傾倒させるだけで簡単に移し替えられる利点がある。
本発明によれば、収容ケースを構成するにあたり、底面が備えられた基部ケース体と、その基部ケース体に対して起伏揺動可能に取り付けられた延長ケース体との組み合わせで構成している。そして基部ケース体に対して延長ケース体が姿勢変更に構成されている。
これにより、収容ケースの持ち上げや、傾斜排出姿勢への姿勢変更に際して、基部ケース体の持ち上げや傾倒状態への姿勢変更を行うことで、延長ケース体も同時的に持ち上げや傾倒状態への姿勢変更を行える状態となる。また、延長ケース体の起伏姿勢の変更で基部ケース体における排出口部の開閉も行うことができる。
したがって、基部ケース体と延長ケース体とを別々に昇降あるいは傾倒させる構造に比べ、駆動構造の簡素化を図ることができる。また、延長ケース体の姿勢変更を利用して基部ケース体の排出口部の開閉が可能であるから、別途排出口部を開閉するための構造や操作を省略し得る。
本発明によれば、底部支持枠を走行機体の機体フレームに対して上下方向で平行移動可能に接続するリンク機構を用い、そのリンク機構を昇降作動させる昇降用シリンダと、底部支持枠に対して収容ケースの底板部分を起伏揺動させるダンプシリンダとを備えている。したがって、収容ケースの昇降と傾動とを簡単な構造で安定良く行うことができる。
本発明によれば、底部支持枠は機体フレームに対して平行な姿勢を保って昇降作動するものであるが、リンク機構を構成する第一リンク部材と第二リンク部材において、第一リンク部材と第二リンク部材の一端側は、機体フレーム側、又は底部支持枠側にではなく、機体フレームと底部支持枠とに振り分けられて固定位置で枢支連結され、第一リンク部材と第二リンク部材の他端側は、機体フレームと底部支持枠とに振り分けられて摺動可能に支持されている。
このため、リンク機構に支持された底部支持枠は、第一リンク部材や第二リンク部材の一端側が枢支連結されている固定位置を基準位置にして、水平方向での位置が固定された状態で昇降作動する。したがって、簡単な構造で、機体フレーム上に収容ケースの水平方向での位置移動を許容するスペースを確保する必要のない状態で安定良く昇降作動させることができる。
【０００８】
本発明において、圃場の作物を抜き取って後方搬送する抜き取り搬送装置と、前記抜き取り搬送装置で収穫された作物を収容する格納装置とを備え、前記格納装置は、作物を収容する収容ケースと、その収容ケースを昇降及びダンプ作動させる駆動装置とを備え、前記収容ケースは、その収容ケースの底面が低い位置で水平方向に沿う作物収容姿勢と、前記作物収容姿勢における前記底面の高さよりも高い位置に前記底面を上昇させた持ち上げ姿勢と、前記底面が前記収容ケースの排出口から遠い側ほど高くなる傾斜排出姿勢とに、前記駆動装置によって姿勢変更可能に構成され、前記収容ケースは、前記底面が備えられた基部ケース体と、その基部ケース体に取り付けられた延長ケース体とを備え、前記基部ケース体は、平面視矩形状の前記底面と、その底面の四つの周辺部分のうちの三つの周辺部分から起立する周壁面とを備えているとともに、残りの一つの周辺部分に相当する箇所に、前記周壁面が備えられていない排出口部を形成してあり、前記延長ケース体は、前記作物収容姿勢では前記底面に対して起立した姿勢で前記排出口部を閉塞し、かつ前記傾斜排出姿勢では前記底面の延長方向に沿うように姿勢変更して前記排出口部を開放可能な出口側壁面を備え、前記駆動装置は、前記収容ケースの前記底面となる底板部分を支持する底部支持枠と、その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備え、前記底板部分と前記延長ケース体との間に、前記延長ケース体を、前記底面に対して起立した姿勢で前記排出口部を閉塞する側へ付勢するガススプリングが備えられ、前記ガススプリングの付勢力は、前記傾斜排出姿勢にある前記延長ケース体を前記作物収容姿勢に復帰させるほどの大きさではなく、前記延長ケース体の自重で前記傾斜排出姿勢が維持される程度に設定してあると好適である。
【０００９】
本発明によれば、作物収容姿勢では、収容ケースの底面が低い位置で水平方向に沿う状態にあり、特別に収容袋などを用いなくても、収容ケース内に多くの作物を収容することが可能である。
そして、収容ケースは、それ自体を、底面を上昇させた持ち上げ姿勢と、その底面が収容ケースの排出口から遠い側ほど高くなる傾斜排出姿勢とに姿勢変更可能である。
したがって、収容ケース内に収容されている多くの作物を、運搬車の荷台等に積み替える際に、多大な労力を要する積み卸し、積み込みの作業を省いて、駆動装置で収容ケースを持ち上げ、かつ傾倒させるだけで簡単に移し替えられる利点がある。
本発明によれば、収容ケースを構成するにあたり、底面が備えられた基部ケース体と、その基部ケース体に対して起伏揺動可能に取り付けられた延長ケース体との組み合わせで構成している。そして基部ケース体に対して延長ケース体が姿勢変更に構成されている。
これにより、収容ケースの持ち上げや、傾斜排出姿勢への姿勢変更に際して、基部ケース体の持ち上げや傾倒状態への姿勢変更を行うことで、延長ケース体も同時的に持ち上げや傾倒状態への姿勢変更を行える状態となる。また、延長ケース体の起伏姿勢の変更で基部ケース体における排出口部の開閉も行うことができる。
したがって、基部ケース体と延長ケース体とを別々に昇降あるいは傾倒させる構造に比べ、駆動構造の簡素化を図ることができる。また、延長ケース体の姿勢変更を利用して基部ケース体の排出口部の開閉が可能であるから、別途排出口部を開閉するための構造や操作を省略し得る。
本発明によれば、底部支持枠を走行機体の機体フレームに対して上下方向で平行移動可能に接続するリンク機構を用い、そのリンク機構を昇降作動させる昇降用シリンダと、底部支持枠に対して収容ケースの底板部分を起伏揺動させるダンプシリンダとを備えている。したがって、収容ケースの昇降と傾動とを簡単な構造で安定良く行うことができる。
【００１０】
本発明において、前記延長ケース体は、前記出口側壁面のうち、前記起立した姿勢で前記基部ケース体よりも上方側へ突出する上部側部分が、所定間隔おきに並設された桟状部材を用いて透視可能に形成され、前記延長ケース体は、走行機体上に備えた運転座席の後方側で、前後方向視で前記運転座席と重複する位置に設けられていると好適である。
【００１１】
本発明によれば、収容ケース内の容量を増したり、作物排出時に傾斜排出姿勢にした延長ケース体に案内させながら作物を運搬車等へ受け渡す際の排出案内距離を長くすることが可能となる。
つまり、延長ケース体が起立した姿勢で背の高いものであると、その起立した延長ケース体によって後方視界が妨げられる虞がある。しかし、本発明のものでは、延長ケース体のうち、基部ケース体よりも上方側へ突出する上部側部分が桟状部材を用いて透視可能に形成されているので、このような虞がない。したがって、延長ケース体の長さを長くして、ケース容量を増大したり、排出案内距離を長くすることが可能となる。
【００１２】
本発明において、前記延長ケース体は、前記出口側壁面と、その出口側壁面から前記排出口部の両側に位置する前記周壁面に沿う方向に突出した側壁面とを備えて樋状に形成されていると好適である。
【００１３】
本発明によれば、延長ケース体が樋状に形成されているので、延長ケース体を倒伏させて傾斜排出姿勢にして作物を排出する際に、作物が目的箇所に到達する前に転落してしまうような事態を避けられる。つまり、延長ケース体を倒伏させて傾斜排出姿勢にし、作物を運搬車等へ受け渡す際に、延長ケース体の起伏揺動板上を転がりながら排出される作物が起伏揺動板上から外れて脱落することを確実に抑制し得る。
【００１４】
本発明において、前記延長ケース体は、前記基部ケース体に対する連結箇所を揺動軸心として姿勢変更可能に構成されているとともに、前記出口側壁面が前記排出口部を閉塞する方向に付勢されていると好適である。
【００１５】
本発明によれば、基部ケース体に対する延長ケース体の起伏揺動によって排出口部の開閉を簡単に行うことができる。そして、出口側壁面が排出口部を閉塞する方向へ延長ケース体を起立させる際の操作力を軽減し得る点で有利である。
【００１６】
本発明において、前記駆動装置は、前記収容ケースの前記底面となる底板部分を支持する底部支持枠と、その底部支持枠を走行機体の機体フレームに対して上下方向で平行移動可能に接続するリンク機構と、前記リンク機構を介して前記底部支持枠を昇降させる昇降用シリンダと、前記底部支持枠に対して前記底板部分を起伏揺動させるダンプシリンダとを備えていると好適である。
【００１７】
本発明によれば、底部支持枠を走行機体の機体フレームに対して上下方向で平行移動可能に接続するリンク機構を用い、そのリンク機構を昇降作動させる昇降用シリンダと、底部支持枠に対して収容ケースの底板部分を起伏揺動させるダンプシリンダとを備えている。したがって、収容ケースの昇降と傾動とを簡単な構造で安定良く行うことができる。
【００１８】
【００１９】
【図面の簡単な説明】
【００２０】
【図１】根菜収穫機を示す左側面図である。
【図２】根菜収穫機を示す平面図である。
【図３】根菜収穫機を示す後面図である。
【図４】葉部切断装置及び根切り装置を示す側面図である。
【図５】泥落とし装置を示す側面図である。
【図６】中継搬送装置を示す後面図である。
【図７】収容ケースを作物収容姿勢にした状態を示す左側面図である。
【図８】収容ケースを持ち上げ姿勢にした状態を示す左側面図である。
【図９】収容ケースを傾斜排出姿勢にした状態を示す左側面図である。
【図１０】収容ケースの延長ケース体を展開させた状態を示す斜視図である。
【発明を実施するための形態】
【００２１】
以下、本発明の実施の形態の一例を図面の記載に基づいて説明する。
尚、本実施形態での説明における前後方向及び左右方向は、特段の説明がない限り、次のように記載している。つまり、本発明を適用した根菜収穫機の走行機体１の作業走行時における前進側の進行方向（図２における矢印Ｆ参照）が「前」、後進側への進行方向（図２における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。
【００２２】
〔全体構成〕
図１乃至図３は、根菜類を収穫する根菜収穫機の一例としてカブラ収穫機を例示したものである。
このカブラ収穫機は、機体フレーム１０の下方に左右一対のクローラ式の走行装置１１を備え、機体右側の前部に操縦部１２を備えて走行機体１を構成している。
走行機体１には、圃場の作物を抜き取るとともに、根部と葉部を取り除いた状態にして作物主部ｋ１を収穫する収穫部１Ａと、その収穫された作物主部ｋ１を選別する選別部１Ｂと、選別された作物主部ｋ１を機体上に収容する収容部１Ｃとが備えられている。つまり、カブラ収穫機は、機体走行に伴い作物としての蕪を圃場から抜き上げて、走行機体１上に作物主部ｋ１を収容するためのものである。この実施形態でいう作物主部ｋ１とは、蕪の葉部と根部以外の部分であり、非作物主部ｋ２とは、葉部や根部などの作物主部ｋ１以外を示すものとする。
【００２３】
収穫部１Ａは、圃場の作物を抜き取って後方搬送する長尺の抜き取り搬送装置２が備えられ、これが走行機体１の機体左側に配置されている。
収容部１Ｃには、抜き取り搬送装置２で収穫された作物を収容するための格納装置６が設けられている。この格納装置６は、左右方向で抜き取り搬送装置２が位置する側とは反対側寄り箇所である機体右側後部に配置されている。
選別部１Ｂでは、機体左側の抜き取り搬送装置２における搬送終端部位置から機体右側の格納装置６へ向けて作物を移送する中継搬送装置５と、その中継搬送装置５上における作物を選別するための補助作業者が搭乗する補助搭乗部１３とが備えられている。
【００２４】
走行機体１の機体フレーム１０における右前方箇所には、エンジン１４を備える原動部が設けられ、この原動部の上側を覆う状態に前記操縦部１２の運転座席１２ａが設置されている。そして、運転座席１２ａの前方下方には操縦部ステップ１２ｂが備えられ、その操縦部ステップ１２ｂの前方位置に操向操作用の操作具等を備えた操縦塔１２ｃが設けられている。
【００２５】
また、走行機体１の機体フレーム１０には、図１に示すように、土寄せ装置８も装備されている。この土寄せ装置８は、走行機体１の前進走行に伴って、作物が抜き取られた後の畝を崩して、崩した畝の土を畝間の溝部分に供給するためのものであり、土寄せ用ブレード８０と、その土寄せ用ブレード８０を昇降操作する昇降シリンダ８１とを備えている。
つまり、土寄せ用ブレード８０の姿勢を、土寄せ用ブレード８０の下端縁が土中に突入した作業姿勢と、土寄せ用ブレード８０の下端縁が土中から引き上げられた作業解除姿勢とに姿勢切換可能に構成されていて、作業姿勢で畝を崩して畝間の溝部分に土を供給するように構成されている。
【００２６】
〔収穫部〕
収穫部１Ａについて説明する。
収穫部１Ａには、図１乃至図３に示すように抜き取り搬送装置２が配設されている。この抜き取り搬送装置２は、搬送始端部が地面近くに位置し、搬送終端側ほど機体後方側で高レベルに位置する後上り傾斜姿勢の左右一対の無端回動ベルト２０ａ，２０ａと、その無端回動ベルト２０ａ，２０ａを巻回した駆動プーリ２０ｂ及び従動プーリ２０ｃと、によって構成された挟持搬送装置２０を備えている。この挟持搬送装置２０を走行機体１の左側端部に沿わせた状態に配設して、左右の無端回動ベルト２０ａ，２０ａ同士の間に、走行機体１の前後方向に沿う抜き上げ搬送経路ｒ１が構成されるようにしてある。
一対の無端回動ベルト２０ａ，２０ａで収穫対象作物の葉部を挟持して機体後方向きで上向きに搬送することにより、一対の無端回動ベルト２０ａ，２０ａによる挟持状態での持ち上げ作用によって、収穫対象の作物が圃場から抜き上げられる。そして、圃場から抜き上げられた作物は、そのまま引き続いて葉部を挟持した吊り下げ姿勢で持ち上げ搬送されながら所定の処理を受けた後、搬送終端部から落下放出される。
【００２７】
抜き取り搬送装置２は、挟持搬送装置２０の前端よりも前方側に、作物の葉部を分草する左右一対の周知の縦回し式の分草装置２１と、作物の葉部を引き起こす周知の横回し式の引き起こし装置２２とを備えている。この分草装置２１と引き起こし装置２２とは、作物の葉部を分草しながら引き起こすように機能する。分草装置２１と引き起こし装置２２とで起立させられた作物の葉部を後続の挟持搬送装置２０が挟持して後方搬送する。このとき、作物の葉部が分草装置２１と引き起こし装置２２とで予め起立させられているので、後続の挟持搬送装置２０による作物の葉部の挟持を行い易い状態で作物の受け継ぎが良好に行われ易い。
この他、抜き取り搬送装置２には、搬送途中で作物に対する所定の処理を行う装置としての、葉部（非作物主部に相当する）を切断するための葉部切断装置２４と、作物の根部（非作物主部に相当する）を切断するための根切り装置４と、根切り装置４による根部の切断が行われる前に作物の下部に付着した泥を掻き落とすための泥落とし装置３とが備えられている。
【００２８】
分草装置２１と引き起こし装置２２、及び挟持搬送装置２０の一対の無端回動ベルト２０ａ，２０ａは、抜き取り搬送装置２の全体を支持するための前後向きのメイン支持フレーム２３（支持フレームに相当する）に支持されている。メイン支持フレーム２３は、その後端側が、機体フレーム１０から立設している支柱部材１６の上端部に対して、水平横方向に沿う揺動支点ｘ１回りで上下揺動可能に枢支連結されている。メイン支持フレーム２３の前部は、機体フレーム１０との間に設けたリフトシリンダ１５によって支持され、このリフトシリンダ１５の伸縮作動により、メイン支持フレーム２３の全体が前記揺動支点ｘ１回りで上下揺動可能に構成されている。
また、このメイン支持フレーム２３には、前記葉部切断装置２４、根切り装置４、及び泥落とし装置３が吊り下げ状態で支持されている。したがって、メイン支持フレーム２３の上下揺動にともなって、これらの葉部切断装置２４、泥落とし装置３、及び根切り装置４の上下位置も変化するように構成されている。
【００２９】
後端側に設けた駆動プーリ２０ｂと前端側に設けた従動プーリ２０ｃとに巻回された各無端回動ベルト２０ａは、図示しない伝動系を介してエンジン１４の動力を伝達される駆動プーリ２０ｂの回転に伴って回転駆動される。
このとき左右の無端回動ベルト２０ａ，２０ａは、同一平面内で、ベルト外周面同士を対向させて、互いに逆方向に回転している。つまり、図２に示すように、左右方向で最外側に位置する無端回動ベルト２０ａが平面視で時計回りに回転し、それよりも機体内方側に位置する無端回動ベルト２０ａが反時計回りに回転して、両無端回動ベルト２０ａ，２０ａの対向面同士の間に、作物の葉部を挟持して後方搬送する抜き上げ搬送経路ｒ１が形成されている。
上記の駆動プーリ２０ｂ及び従動プーリ２０ｃは、いずれもメイン支持フレーム２３に軸支されており、左右の無端回動ベルト２０ａ，２０ａが左右のメイン支持フレーム２３の下側に沿う状態で配設されている。
【００３０】
抜き上げ搬送経路ｒ１による搬送途中で葉部を切断するために設けられる葉部切断装置２４は、図４に示すように構成されている。
すなわち、葉部切断装置２４では、無端回動ベルト２０ａ，２０ａの下側で、無端回動ベルト２０ａ，２０ａによる搬送中の作物の葉部を把持して同時に後方搬送する左右一対の肩揃え搬送ベルト２４ａ，２４ａを備えている。 
この肩揃え搬送ベルト２４ａ，２４ａは、無端回動ベルト２０ａ，２０ａが回転する平面に対して、作物搬送方向での下手側ほど下方寄りに離れるように所定角度θ１だけ傾斜した平面内で回動するように構成され、その肩揃え搬送ベルト２４ａ，２４ａの搬送終端近く（後端近く）に、切断用の左右一対の円盤状の切断刃２４ｂ，２４ｂが設けられている。
したがって、搬送方向下手側ほど作物葉部を把持する位置同士の上下方向間隔が徐々に拡げられるところの、無端回動ベルト２０ａ，２０ａと肩揃え搬送ベルト２４ａ，２４ａとを用いて、これらの両ベルト２０ａ，２４ａによる同時搬送中に、作物の葉部を弛みの少ない引き伸ばされた状態として、切断刃２４ｂ，２４ｂによる葉部の切断を行い易くしてある。切断刃２４ｂ，２４ｂは、肩揃え搬送ベルト２４ａ，２４ａの下部に上方肩部が接した状態にある作物主部ｋ１の、肩揃え搬送ベルト２４ａ，２４ａよりも下方側で作物主部ｋ１の上部を切断する。
【００３１】
抜き上げ搬送経路ｒ１による搬送途中で作物の根部を切断するために設けられる根切り装置４は、図４に示すように構成されている。
すなわち、左右一対のメイン支持フレーム２３のうち、機体内方側に位置するメイン支持フレーム２３から下向きに角パイプ状の取付支持杆４０が一体に垂設されている。この取付支持杆４０に平行リンク機構４１の前端側が連結され、その平行リンク機構４１の後端側に刃体取付部材４２が支持されている。刃体取付部材４２には、平板状のカッター４３が無端回動ベルト２０ａ，２０ａによる抜き上げ搬送経路ｒ１を横切る状態で設けられている。
根切り装置４におけるカッター４３の作物搬送方向での位置は、前記葉部切断装置２４の切断刃２４ｂ，２４ｂが存在する箇所よりも搬送方向上手側に相当する箇所であるが、無端回動ベルト２０ａ，２０ａと肩揃え搬送ベルト２４ａ，２４ａとによる同時搬送が行われている範囲内にある。
したがって、無端回動ベルト２０ａ，２０ａと肩揃え搬送ベルト２４ａ，２４ａとによる同時搬送中で、無端回動ベルト２０ａ，２０ａのみで葉部を挟持する場合よりも、作物の姿勢を安定させた状態でカッター４３による根部の切断が行われる。
【００３２】
また、根切り装置４は、平行リンク機構４１の後端側を上昇側に付勢するコイルスプリングからなる付勢部材４４と、図示しないストッパー部材とを備えている。これらの付勢部材４４とストッパー部材とによって、刃体取付部材４２に取り付けられたカッター４３は、常に無端回動ベルト２０ａ，２０ａに対する基準の高さ位置（基準位置に相当する）を一定に維持する側に付勢されている。したがって、抜き上げ搬送経路ｒ１を搬送される作物の径が大きくて、基準位置にある姿勢のカッター４３よりも低い位置に、切断時点での作物の根部が到達する状態で送られてくると、作物の大きさに応じて平行リンク機構４１が押し下げられ、カッター４３が無端回動ベルト２０ａ，２０ａから離れる側（下側）へ移行し、作物の根部近くに相当する適所を切断する。
このようにカッター４３は、無端回動ベルト２０ａ，２０ａに対して遠近方向で位置移動はするが、平行リンク機構４１を介して支持されているので、無端回動ベルト２０ａ，２０ａに対する相対的な上下位置が変化しても、そのカッター４３の切断方向は、無端回動ベルト２０ａ，２０ａによる作物の搬送方向に沿うように、前記基準高さ位置での姿勢に対してほぼ平行な状態に保たれる。
そして、カッター４３が上下に位置変化して、無端回動ベルト２０ａ，２０ａとカッター４３との相対位置が一時的に変化しても、作物が切断箇所を通り過ぎると、付勢部材４４によってカッター４３の高さ位置は、ストッパー部材で規定される基準位置に戻される。
【００３３】
抜き上げ搬送経路ｒ１で搬送される作物の下部に付着した泥土を除去するための泥落とし装置３は、図１に示すように、根切り装置４よりも作物搬送方向での上手側に設けられている。
この泥落とし装置３は、図５に示すように、搬送中の作物の根部に接触して付着泥土を掻き落とすための接触回転体３１と、その接触回転体３１を回転駆動する電動モータ（図示せず）とを備えている。接触回転体３１は、抜き上げ搬送経路ｒ１を横切る左右方向の横軸心ｘ２まわりで回動する複数枚のゴム板材などの可撓性板部材３１ａで構成されている。接触回転体３１の回転方向は、その上半側が作物の移動方向と同方向であるように、図１及び図５における側面視で時計回りに回転するように構成され、作物の移動速度よりも速い周速で回転して、作物下部の泥土を掻き落とすように取り付けられている。
この泥落とし装置３は、接触回転体３１の左右両端側に備えた取付ステー３０を介して、左右のメイン支持フレーム２３，２３に支持されている。
【００３４】
図１及び図２における符号２５は、右側のメイン支持フレーム２３の先端部に設けられた接地輪であり、分草装置２１や引き起こし装置２２、及び挟持搬送装置２０の対地姿勢を所定の対地高さに維持するためのものである。
【００３５】
図１乃至図３、及び図６に示すように、抜き取り搬送装置２の搬送終端部の後方箇所には、この搬送終端部から脱落する葉部を受け止めて機体後方側へ排出するように滑落させる樋状の排出ガイド２６Ａが設けられている。その排出ガイド２６Ａの後方側下方位置には、排出ガイド２６Ａから落下する葉部が走行機体１の通過跡よりも横外方の未処理地へ飛散することを抑制するための飛散防止用流し板２６Ｂを設けてある。
この飛散防止用流し板２６Ｂは、図２及び図３に示すように水平方向での断面形状がほ
ぼＬ字状に形成された板材を、排出ガイド２６Ａから後方下方へ向けて落下する葉部の落下経路に相当する箇所に配設して、落下する葉部が走行機体１の左側方へ飛散することを抑制し得るように構成されている。
また、この飛散防止用流し板２６Ｂと左右方向で対向する位置にある走行機体１上の補助搭乗部１３には、飛散防止用流し板２６Ｂの下端部から落下する葉部が補助搭乗部１３の床面に乗り上がることを回避するための遮蔽板１７が立設されている。
上記の排出ガイド２６Ａと飛散防止用流し板２６Ｂとの組み合わせによって、抜き取り搬送装置２の搬送終端部位置よりも左右方向で機体内方側へ向けて葉部を滑落させる放出シュータ２６が構成されている。
【００３６】
〔選別部〕
選別部１Ｂについて説明する。
収穫された作物主部ｋ１を選別する選別部１Ｂでは、図２及び図６に示すように、走行機体１の左側端部で前後方向に沿って配設された抜き取り搬送装置２における作物主部ｋ１の搬送終端部位置から、その抜き取り搬送装置２が配設された側とは反対の機体右側に配備されている格納装置６へ向けて、作物を左右方向に搬送する中継搬送装置５を備えている。また、中継搬送装置５の機体後方側に、補助作業者が搭乗する補助搭乗部１３が設けられている。この補助搭乗部１３は、左右方向で抜き取り搬送装置２が存在する箇所と、格納装置６が存在する箇所との間に位置するように配備されている。
【００３７】
中継搬送装置５は、上面側に作物を載置して搬送する搬送面を有して、抜き取り搬送装置２が存在する側から格納装置６が存在する側へ左右方向で作物を搬送可能に構成された横向きコンベア５０と、その横向きコンベア５０の搬送終端側で、作物を格納装置６が存在する機体後方側へ寄せるように作用する誘導ローラ５１とを備えている。
つまり、中継搬送装置５は、横向きコンベア５０の搬送方向である左右方向で、抜き取り搬送装置２が存在する側から格納装置６が存在する側へ向かう横送り搬送経路ｒ２と、誘導ローラ５１に案内されて格納装置６が存在する機体後方側へ向かう後送り搬送経路ｒ３とを備えている。
前記抜き取り搬送装置２が走行機体１の前後方向に沿う抜き上げ搬送経路ｒ１を備え、これに引き続く中継搬送装置５が横送り搬送経路ｒ２と後送り搬送経路ｒ３とを備えていることで、このカブラ収穫機は、クランク状に屈曲する搬送経路ｒ１，ｒ２，ｒ３を経て、作物を格納装置６へ送り込むように構成されている。
【００３８】
横向きコンベア５０は、ゴム製の搬送ベルトを備えたベルトコンベアである。この横向きコンベア５０の始端側は、抜き取り搬送装置２における挟持搬送装置２０と肩揃え搬送ベルト２４ａとで葉部が支持された状態の作物が、切断刃２４ｂで葉部を切除されて落下したときに、落下地点近くで作物主部ｋ１を受け止め可能な位置に配備されている。この横向きコンベア５０の搬送終端部は、走行機体１の右側端部に至る位置にまで配設されている。
また、横向きコンベア５０の搬送面の高さ位置は、葉部を切除されて落下した作物主部ｋ１があまり傷つかない程度に、抜き取り搬送装置２の搬送終端部からの上下方向での落差が比較的少ない高さに設定されている。
【００３９】
誘導ローラ５１は、図２に示すように、平面視で機体前方側ほど横向きコンベア５０の搬送上手側に位置するように傾斜した姿勢に配置されている。つまり、誘導ローラ５１は、横向きコンベア５０の搬送終端部に近い側ではあるが、搬送終端部よりも搬送方向の上手側に位置し、前述したように機体前方側ほど横向きコンベア５０の搬送上手側に位置する傾斜姿勢で配設されている。
したがって、横向きコンベア５０の搬送面に載って搬送される作物が誘導ローラ５１に接触すると、その接触面のなす角度で横向きコンベア５０による作物に対する搬送方向の分力が走行機体１の後方側へ向けられ、作物主部ｋ１に機体後方側への搬送作用が働くことになる。
しかし、図６に示すように、誘導ローラ５１は横向きコンベア５０の搬送面に対して所定の間隙ｄ１を有した状態で設置されているので、この間隙ｄ１を通過可能な程度の、比較的小さな非作物主部ｋ２に相当する、根部の切れ端や、葉部の一部などに対しては、機体後方側へ方向転換させる搬送作用は働かず、そのまま直進して横向きコンベア５０の搬送終端部から機外へ排出される。
この誘導ローラ５１は合成樹脂製の丸パイプで構成され、図２及び図６に示す水平方向軸心ｐ１回りで自由回転するように配設されている。
【００４０】
横向きコンベア５０の機体後方側に設けられる補助搭乗部１３は、その補助搭乗部１３の右側に格納装置６が存在しているので、横向きコンベア５０の搬送終端部よりも左右方向で機体中央側寄りに存在することになる。しかし、横向きコンベア５０の搬送面は、補助搭乗部１３に立つ補助作業者の目線よりは十分に低く、補助搭乗部１３に立つ平均的な成人男子の腰部程度の高さであるため、格納装置６の前方側に相当する部位も含めて、横向きコンベア５０の搬送面の大部分の範囲を目視しながらの選別作業を行うことが可能である。
補助搭乗部１３は、左側の抜き取り搬送装置２と右側の格納装置６との間で、補助作業者が起立した状態で選別作業等を行い易いように上方側が開放されたスペースとなっている。そして、この範囲のみならず、抜き取り搬送装置２の終端部によって上方側の高さは制限されるが、抜き取り搬送装置２の終端部の下方に位置する横向きコンベア５０の後方側にも、補助作業者が移動可能な床部が存在している。
【００４１】
横向きコンベア５０と補助搭乗部１３との境界部分には、図３及び図６に示すように、横向きコンベア５０の搬送面よりも少し上方側に突出する仕切り壁５２が存在している。
この仕切り壁５２のうち、格納装置６に近い右半側部分は無孔の板部材５３を用いて板壁状に形成され、抜き取り搬送装置２に近い左半側部分は、棒状の起立片５４が小間隔置きに並ぶ柵状に形成されている。
したがって、抜き取り搬送装置２の搬送終端部から落下する作物主部ｋ１が搬送面上を転がっても、柵状の起立片５４との当接によって横向きコンベア５０の搬送面から外れることを確実に回避し易い。この抜き取り搬送装置２の搬送終端部近くで仕切り壁５２が柵状に形成されていることで、横向きコンベア５０上に泥土などが堆積せずに自然に落下し易い点で有利である。
また、仕切り壁５２のうち、板部材５３の部分には、補助作業者が片手を置いたり身体を預けたりして、姿勢を安定させながら搬送終端部の誘導ローラ５１付近における作物主部ｋ１の停滞状態を捌く作業を行う際等に、便利に用いることができる。
【００４２】
横向きコンベア５０を挟んで補助搭乗部１３の前方側に相当するところの、操縦部１２の後面側には、後述する格納装置６における、昇降用シリンダ７２及びダンプシリンダ７３を操作するための操作スイッチ等の操作具を備えた操作盤５５が配設されている。
したがって、補助搭乗部１３に搭乗した状態のままで、補助作業者が格納装置６における昇降用シリンダ７２やダンプシリンダ７３の操作を行うことができる。また、この位置に操作盤５５が設けられていることにより、補助作業者に限らず、運転座席１２ａに搭座する運転者が、後方側へ身体を捻って操作盤５５の操作具を操作することも可能である。
【００４３】
〔収容部〕
収容部１Ｃについて説明する。
収容部１Ｃは、左右方向で抜き取り搬送装置２が位置する側とは反対側の機体右側後部に配置された格納装置６によって構成されている。
格納装置６は、作物を収容するための収容スペースｓ１を備えた収容ケース６Ａと、その収容ケース６Ａを昇降及びダンプ作動させて、収容されている作物を機外の運搬車の荷台等に向けて排出するための駆動装置６Ｂとを備えている。
収容ケース６Ａは、作物収容時に上方側が開放された矩形箱状に形成されて、その内部に作物を収容可能な収容スペースｓ１が形成される。
【００４４】
この収容ケース６Ａは、駆動装置６Ｂを介して機体フレーム１０に支持された基部ケース体６０と、その基部ケース体６０に取り付けられた延長ケース体６３とを備えている。
延長ケース体６３は、基部ケース体６０に対して、左右方向に沿う揺動軸心ｘ３回りで姿勢変更可能に連結されている。
収容ケース６Ａにおける収容スペースｓ１は、基部ケース体６０と延長ケース体６３との組み合わせ状態によって現出するように構成されている。
つまり、基部ケース体６０に対して延長ケース体６３が前記揺動軸心ｘ３回りで起立した連結状態であるときに収容ケース６Ａが矩形箱状となり、内部に収容スペースｓ１が形成される。そして、基部ケース体６０に対して延長ケース体６３が前記揺動軸心ｘ３回りで倒伏した連結状態になると、倒伏前に矩形箱状であった収容ケース６Ａの周部の一部が開放された状態となる。このように矩形箱状の周部の一部が開放された状態となることによって、作物を排出可能な排出口６Ｃが収容ケース６Ａに形成されることになる。
【００４５】
具体的には、基部ケース体６０は、平面視矩形状の底板６１部分を備え、この底板６１部分の上面によって収容スペースｓ１の底面６１ａが形成されている。底板６１部分の周辺において、四つの周辺部分のうちの三つの周辺部分に起立壁板６２を立設して、この起立壁板６２によって、矩形箱状の収容ケース６Ａの四つの周壁面６２ａのうちの三つの周壁面６２ａが形成されている。
そして、底板６１部分の残りの一つの周辺部分に相当する箇所には、上記のような起立壁板６２が備えられていないことにより、基部ケース体６０の排出口部６０ａが形成されている。
【００４６】
延長ケース体６３は、基部ケース体６０の底板６１部分のうちの残りの一つの周辺部分に相当する箇所に、つまり前記排出口部６０ａが形成されているところの周辺部分に連結軸６３ａを介して連結されている。
連結軸６３ａは、前記排出口部６０ａが形成されているところの周辺部分に沿う左右方向の揺動軸心ｘ３を有し、底板６１部分の上面よりも下方側に位置する状態で、基部ケース体６０と延長ケース体６３とを連結している。
延長ケース体６３は、基部ケース体６０に対して揺動軸心ｘ３回りで起立した連結姿勢であるときに、基部ケース体６０の底板６１部分に対して起立した姿勢で排出口部６０ａを閉塞する出口側壁面６４ａを備えた起伏揺動板６４と、出口側壁面６４ａに対して垂直方向に突出する側壁板６５とを備えて樋状に形成されている。
【００４７】
このように構成された延長ケース体６３は、基部ケース体６０に対して揺動軸心ｘ３回りで起立した連結姿勢であるときに、出口側壁面６４ａが基部ケース体６０の排出口部６０ａを閉塞する。この状態で収容ケース６Ａが矩形箱状の収容スペースｓ１を備えた作物収容姿勢となる。
延長ケース体６３が基部ケース体６０に対して揺動軸心ｘ３回りで倒伏した連結姿勢であると、起伏揺動板６４の出口側壁面６４ａが倒伏して、基部ケース体６０の底面６１ａの延長方向に沿う姿勢となり、排出口部６０ａを開放した状態となる。開放された基部ケース体６０の排出口部６０ａが収容ケース６Ａの排出口６Ｃとしての機能を有する。
【００４８】
樋状の延長ケース体６３は、揺動軸心ｘ３回りで起立した連結姿勢であるときに、排出口部６０ａに対向する位置の出口側壁面６４ａは起伏揺動板６４の無孔の平板状部分に形成されている。しかし、出口側壁面６４ａのうち、起立した連結姿勢で基部ケース体６０よりも上方側へ突出する遊端側部分６４ｂは、左右方向で所定間隔おきに並設された棒状部材を用いて桟状に形成され、前後方向で透視可能に形成されている。
また、側壁板６５においても、延長ケース体６３が揺動軸心ｘ３回りで起立した連結姿勢で、基部ケース体６０よりも上方側へ突出する遊端側部分６５ａが、前後方向で所定間隔おきに並設された棒状部材を用いて桟状に形成され、左右方向で透視可能に形成されている。
【００４９】
延長ケース体６３は、側壁板６５の一部に設けた操作杆６８を把持して、揺動軸心ｘ３回りで人為操作により起伏揺動可能に構成されている。
そして、起伏揺動板６４における揺動軸心ｘ３の近く位置に、操作ブラケット６４ｃが連設され、この操作ブラケット６４ｃの端部と基部ケース体６０の底板６１部分との間にガススプリング６７が連結されている。このガススプリング６７は、前記揺動軸心ｘ３回りで延長ケース体６３を起立姿勢にする側への付勢力を有している。したがって、延長ケース体６３が倒伏する側への揺動には操作抵抗となるが、延長ケース体６３を倒伏姿勢に姿勢変更する際には、その操作抵抗に抗して操作杆６８を操作することにより、人為的に姿勢切換を行うことができる。
ガススプリング６７による起立姿勢にする側への付勢力は、倒伏姿勢に切り換えられた延長ケース体６３を起立姿勢に復帰させるほどの大きさではなく、倒伏姿勢に切り換えられた延長ケース体６３の自重で、その倒伏姿勢が維持される。起立姿勢に操作された延長ケース体６３の姿勢は、図示しないが、適宜係止手段によって起立姿勢を維持するようにしてある。
【００５０】
収容ケース６Ａの姿勢を変更する駆動装置６Ｂは次のように構成されている。
駆動装置６Ｂは、収容ケース６Ａを搭載した底部支持枠７０と、機体フレーム１０と底部支持枠７０とを接続するリンク機構７１と、機体フレーム１０に対して底部支持枠７０を昇降操作する昇降用シリンダ７２と、底部支持枠７０に対して収容ケース６Ａをダンプ作動させるダンプシリンダ７３とを備えている。
【００５１】
底部支持枠７０は、収容ケース６Ａを排出口６Ｃに近い側の左右方向に沿う揺動軸心ｘ４回りで揺動自在に枢支している。つまり、底部支持枠７０に対する基部ケース体６０の底板６１部分の傾斜角度が、底部支持枠７０に平行な水平姿勢から、排出口６Ｃよりも反対側が高くなる傾斜姿勢にわたって姿勢変更可能であるように、底板６１部分を起伏揺動可能に支持している。
【００５２】
リンク機構７１は、機体フレーム１０の支持ブラケット１０Ａに下端側が枢支連結された左右一対の第一リンク部材７４と、底部支持枠７０の支持ブラケット７０Ａに上端側が枢支連結された左右一対の第二リンク部材７５とを備えている。第一リンク部材７４の他端側には転動ローラ７４ａが設けられ、この転動ローラ７４ａは、底部支持枠７０に備えた摺動ガイド部７０Ｂによって相対摺動自在に支持されている。また、第二リンク部材７５の他端側には転動ローラ７５ａが設けられ、この転動ローラ７５ａは、機体フレーム１０に備えた摺動ガイド部１０Ｂによって相対摺動自在に支持されている。
【００５３】
第二リンク部材７５の他端側を相対摺動自在に支持する摺動ガイド部１０Ｂは、第一リンク部材７４の機体フレーム１０に対する枢支連結箇所である支持ブラケット１０Ａよりも排出口６Ｃから離れた位置に配設され、第一リンク部材７４の他端側を相対摺動自在に支持する摺動ガイド部７０Ｂは、第二リンク部材７５の底部支持枠７０に対する枢支連結箇所である支持ブラケット７０Ａよりも排出口６Ｃから離れた位置に配設されている。
これらの第一リンク部材７４と第二リンク部材７５とは、それぞれの中間位置が交差する姿勢で連結ピン７６により連結されている。したがって中間位置を連結ピン７６で連結された第一リンク部材７４と第二リンク部材７５とは、昇降用シリンダ７２の伸縮作動に伴って互いに等角度で姿勢変化し、底部支持枠７０を機体フレーム１０に対して平行に維持しながら昇降作動させることができる。
【００５４】
昇降用シリンダ７２は、下端側が機体フレーム１０に支持され、他端側が第一リンク部材７４の長さ方向の中間位置で、前記連結ピン７６よりも支持ブラケット１０Ａから離れた位置に連結され、昇降用シリンダ７２の伸縮作動に伴って、リンク機構７１を作動させ、底部支持枠７０の高さ位置を変更可能に構成してある。
ダンプシリンダ７３は、下端側が底部支持枠７０から下方向きに突設された固定ブラケット７０Ｃに連結され、他端側が基部ケース体６０の底板６１部分と連結され、ダンプシリンダ７３の伸縮作動に伴って底板６１部分の傾斜角度を変更可能に構成してある。
【００５５】
駆動装置６Ｂが上記のように構成されていることにより、収容ケース６Ａの姿勢は図７乃至図９に示すように変化する。
すなわち、図７に示す状態が、収容ケース６Ａの底面６１ａが低い位置で機体フレーム１０に沿うほぼ水平方な作物収容姿勢であり、この姿勢では、昇降用シリンダ７２及びダンプシリンダ７３は最収縮状態に操作され、リンク機構７１が最下端に達した状態である。
この状態では、第一リンク部材７４の前記他端側（上端側）に備えた転動ローラ７４ａと第二リンク部材７５の前記他端側（下端側）に備えた転動ローラ７５ａは、それぞれの摺動ガイド部７０Ｂ，１０Ｂで、最も枢支箇所から離れた位置、つまり、支持ブラケット７０Ａ、又は支持ブラケット１０Ａから離れた箇所に位置する状態で支持されている。
【００５６】
図８は、収容ケース６Ａの底面６１ａを、作物収容姿勢における底面６１ａの高さよりも高い位置に上昇させた持ち上げ姿勢を示したものである。
この持ち上げ姿勢では、昇降用シリンダ７２が最大伸長状態にあり、ダンプシリンダ７３は最収縮状態のままである。したがって、この持ち上げ姿勢では、収容ケース６Ａの底面６１ａの高さが変化しているが、その底面６１ａは作物収容姿勢と同様に、機体フレーム１０に対して平行な状態に維持されている。
【００５７】
図９は、収容ケース６Ａの底面６１ａが収容ケース６Ａの排出口６Ｃから遠い側ほど高くなる傾斜排出姿勢を示したものである。
この傾斜排出姿勢では、前記持ち上げ姿勢からダンプシリンダ７３を伸長させて、収容ケース６Ａの底面６１ａが底部支持枠７０に対して傾斜した姿勢に変更されている。この図９では、ダンプシリンダ７３が最大伸長状態に操作されて、収容ケース６Ａの底面６１ａが最大角度にまで傾斜した状態を示している。
尚、この図９、及び図１０では、延長ケース体６３の出口側壁面６４ａが倒伏し、基部ケース体６０の底面６１ａの延長方向に沿うように展開されて、排出口６Ｃが開放された状態を示しているが、この基部ケース体６０に対する延長ケース体６３の展開は、前述したように操作杆６８を把持して手動操作で行われる。
【００５８】
図２及び図３に示すように、格納装置６の右横側方には、前後方向の軸心ｚ１回りで、起伏揺動可能な補助ステップ７７が設けられている。この補助ステップ７７は、補助作業者が立ち乗り可能であるように、足掛け用のステップ面７７ａが水平方向に沿う使用姿勢（図２参照）と、ステップ面７７ａが起立する状態に折り畳まれた格納姿勢（図３参照）とに、姿勢切換可能に構成されている。
【００５９】
〔別実施形態の１〕
上記の実施形態では、作物を収容する収容ケース６Ａとして、基部ケース体６０と延長ケース体６３との組み合わせで構成されたものを例示したが、これに限られるものではない。
例えば、基部ケース体６０に対して延長ケース体６３が起伏揺動しない一体の構造物によって、上方側が開放された矩形箱状の収容ケース６Ａを形成してもよい。この場合、傾斜排出姿勢では、収容ケース６Ａの全体がより大きく傾倒して、延長ケース体６３の起伏揺動板６４（この別実施形態の構造では起伏揺動しないが）にガイドされながら作物が排出されるように構成されたものであっても良い。
その他の構成は、前述した実施形態と同様の構成を採用すればよい。
【００６０】
〔別実施形態の２〕
上記の実施形態では、延長ケース体６３として、出口側壁面６４ａのうち、起立した姿勢で基部ケース体６０よりも上方側へ突出する上部側部分を、桟状部材を用いて透視可能に形成された構造のものを例示したが、これに限られるものではない。例えば、上部側部分を透明や半透明のガラスやアクリル板などの透視可能な板材で構成してもよい。
その他の構成は、前述した実施形態と同様の構成を採用すればよい。
【００６１】
〔別実施形態の３〕
上記の実施形態では、駆動装置６Ｂとして、リンク機構７１と、リンク機構７１を介して底部支持枠７０を昇降させる昇降用シリンダ７２と、底板６１を起伏揺動させるダンプシリンダ７３とを備えた構造のものを例示したが、この構造に限られるものではない。
例えば、リンク機構７１と昇降用シリンダ７２とを用いてダンプシリンダ７３を省略した構造のものであってもよい。この場合、昇降用シリンダ７２を機体フレーム１０と底板６１との間に設けて、底板６１を傾倒可能であるように昇降用シリンダ７２の長さを長くする必要がある。
また、リンク機構７１ダンプシリンダ７３を省略して、複数本の昇降用シリンダ７２を用い、その複数本の昇降用シリンダ７２の伸縮量を個別に調節することで、底板６１が機体フレーム１０に対して平行な姿勢であったり、傾斜した姿勢であったりするように、底板６１の姿勢変更を制御できるようにする必要がある。
その他の構成は、前述した実施形態と同様の構成を採用すればよい。
【産業上の利用可能性】
【００６２】
本発明は、蕪を処理対象とするものに限らず、大根や人参、玉葱などの各種の根菜を収穫対象とする根菜収穫機に適用してもよい。
【符号の説明】
【００６３】
２              抜き取り搬送装置
５              中継搬送装置
６              格納装置
６Ａ            収容ケース
６Ｂ            駆動装置
６Ｃ            排出口
６０            基部ケース体
６０ａ          排出口部
６１            底板
６１ａ          底面
６２ａ          周壁面
６３            延長ケース体
６４ａ          出口側壁面
７０            底部支持枠
７１            リンク機構
７２            昇降用シリンダ
７３            ダンプシリンダ
７４            第一リンク部材
７５            第二リンク部材
【図１】
0006681686.tif 000002
【図２】
0006681686.tif 000003
【図３】
0006681686.tif 000004
【図４】
0006681686.tif 000005
【図５】
0006681686.tif 000006
【図６】
0006681686.tif 000007
【図７】
0006681686.tif 000008
【図８】
0006681686.tif 000009
【図９】
0006681686.tif 000010
【図１０】
0006681686.tif 000011